(57)【要約】      （修正有）【課題】凸状の表示部の擦れによる剥げを防止し、且つタッチ操作時の滑り止め効果を高める携帯型情報端末用カバーを提供する。【解決手段】カバー本体１の外面１ａに凸状の表示部２を設け、さらに少なくとも表示部の外側に透明な被覆層３を、カバー本体の外周縁１ａ１を覆う外周部位３ａから中央部位３ｂへ向け徐々に盛り上がって肉厚となるように積層する。これにより、携帯型情報端末Ｂの取り付け時に凸状の表示部が他の物品と接触するのを防止する。さらに被覆層の中央部位３ｂを、カバー本体の外面１ａに沿った平滑面に形成する。これにより、携帯型情報端末を手で持って操作する際に、被覆層３の外表面と掌とが面接触して滑り止め効果が高まる。【選択図】図１
0003187488.tif 000002
【実用新案登録請求の範囲】
【請求項１】
携帯型情報端末の少なくとも裏面に沿って形成されるカバー本体と、
前記カバー本体の外面に設けられる凸状の表示部と、
少なくとも前記表示部の外側に積層される透明な被覆層と、を備え、
前記被覆層の外表面は、前記カバー本体の前記外面の外周縁を覆う外周部位から中央部位へ向け徐々に盛り上がって肉厚となるとともに、前記中央部位を前記カバー本体の前記外面に沿った平滑面に形成したことを特徴とする携帯型情報端末用カバー。
【請求項２】
前記表示部が立体形状の模様又は図案若しくは図形であることを特徴とする請求項１記載の携帯型情報端末用カバー。
【請求項３】
前記被覆層の材料が粘性を有する材料であることを特徴とする請求項１又は２記載の携帯型情報端末用カバー。
【請求項４】
前記カバー本体において前記携帯型情報端末の前記裏面と対向する内面を、圧空成形によって前記携帯型情報端末の前記裏面と嵌り合う形状に成形することを特徴とする請求項１、２又は３記載の携帯型情報端末用カバー。
【考案の詳細な説明】
【技術分野】
【０００１】
本考案は、スマートフォンやタブレット端末（タブレット型コンピュータ）などの携帯型情報端末を保護するために装着される携帯型情報端末用カバーに関する。
【背景技術】
【０００２】
従来、この種の携帯電話機用カバーとして、下記特許文献１に記載されたケースは、電話ケース上に立体図案の図案シールを固定して備え、図案シールは軟質ビニール素材を抽出成型した3D透明シールで、ケースのモニターやモニター枠周辺に貼り、ケースのキー穴に対応した穴に設けることもできる。モニター枠に対応して窓を設け、ケースと図案シール間には電話機モニターを保護する透明な保護片を設けるものがある（例えば、特許文献１参照）。
【先行技術文献】
【特許文献】
【０００３】
【特許文献１】登録実用新案第３０８２７３８号公報
【考案の概要】
【考案が解決しようとする課題】
【０００４】
しかし乍ら、このような従来の携帯電話機用カバーでは、ケースの表面に図案シールが露出して配置されるため、携帯電話機を収納する度に図案シールが他の物品と接触して擦れ、摩耗して劣化し易いという問題があった。
さらに、図案シールが3D透明シールなどの立体形状である場合には、携帯電話機の使用に伴って立体的な図案シールの表面に汚れが直接付着してしまう。立体的な図案シールの表面から汚れを完全に除去することが困難で残ってしまうため、外観が悪くなって商品価値も低下するという問題があった。
ところで、スマートフォンやタブレット端末は、その画面にスクロールなどのタッチ操作を行う際、携帯型情報端末の裏面が掌に接触するように持ち、机などに置く際には、画面に傷が付かないように、携帯型情報端末の裏面を載置面と接触させて置く。
しかし、携帯型情報端末の中には、例えば「iPhone（登録商標）」などのように、その裏面が硬質材料製の完全な平滑面であると、タッチ操作を行う際には持ち難く、机などに置く際には滑り易くて、携帯型情報端末の落下事故が発生し易いという問題もあった。
【０００５】
本考案は、このような問題に対処することを課題とするものであり、凸状の表示部の擦れによる剥げを防止し且つ携帯型情報端末のタッチ操作時における滑り止め効果を高めること、などを目的とするものである。
【課題を解決するための手段】
【０００６】
このような目的を達成するために本考案は、携帯型情報端末の少なくとも裏面に沿って形成されるカバー本体と、前記カバー本体の外面に設けられる凸状の表示部と、少なくとも前記表示部の外側に積層される透明な被覆層と、を備え、前記被覆層の外表面は、前記カバー本体の前記外面の外周縁を覆う外周部位から中央部位へ向け徐々に盛り上がって肉厚となるとともに、前記中央部位を前記カバー本体の前記外面に沿った平滑面に形成したことを特徴とする。
【考案の効果】
【０００７】
前述した特徴を有する本考案は、カバー本体の外面に凸状の表示部が設けられ、少なくとも表示部の外側に透明な被覆層をその外表面が、カバー本体の外面の外周縁を覆う外周部位から中央部位へ向け徐々に盛り上がって肉厚となるように積層することにより、携帯型情報端末の取り付け時において凸状の表示部が他の物品と接触することなく保護される。さらに被覆層の外表面において中央部位を、カバー本体の外面に沿った平滑面に形成することにより、携帯型情報端末を手で持って操作する際に、被覆層の外表面において外周部位及び中央部位と掌とが面接触してフィットする。
したがって、凸状の表示部の擦れによる剥げを防止し且つ携帯型情報端末のタッチ操作時における滑り止め効果を高めることができる。
その結果、ケースの表面に図案シールが露出して配置される従来のものに比べ、凸状の表示部が擦れて剥げず、外観を長期に亘り保持できて商品価値を維持できる。
さらに、携帯型情報端末の裏面が、硬質材料製の完全な平滑面であっても、携帯型情報端末を手で持って操作する時に、被覆層の外表面において外周部位及び中央部位と掌との接触面積が増大するために持ち易くなり、且つ画面にスクロールなどのタッチ操作を行う際に、携帯型情報端末の落下事故を減少させることができる。
【図面の簡単な説明】
【０００８】
【図１】本考案の実施形態に係る携帯型情報端末用カバーの全体構成を示す説明図であり、（ａ）が正面図、（ｂ）が長手方向の一部拡大縦断側面図、（ｃ）が短手方向の一部拡大縦断側面図、（ｄ）が斜視図である。
【図２】本考案の他の実施例に係る携帯型情報端末用カバーの全体構成を示す説明図であり、（ａ）が正面図、（ｂ）が長手方向の一部拡大縦断側面図、（ｃ）が短手方向の一部拡大縦断側面図、（ｄ）が斜視図である。
【考案を実施するための形態】
【０００９】
以下、本考案の実施形態を図面に基づいて詳細に説明する。
本考案の実施形態に係る携帯型情報端末用カバーＡは、図１〜図２に示すように、スマートフォンやタブレット端末などの携帯型情報端末Ｂを保護するため、着脱自在に取り付けられるものである。
詳しく説明すると、本考案の実施形態に係る携帯型情報端末用カバーＡは、携帯型情報端末Ｂの少なくとも裏面Ｂ１に沿って形成されるカバー本体１と、カバー本体１の外面１ａに設けられる凸状の表示部２と、少なくとも凸状の表示部２の外側に積層される透明な被覆層３と、を主要な構成要素として備えている。
【００１０】
カバー本体１は、例えばポリカーボネイトなどの硬質合成樹脂や金属のような硬質材料、又は例えば熱可塑性ポリウレタンやポリエチレンテレフタレート(ＰＥＴ)などの軟質合成樹脂のような軟質材料で、携帯型情報端末Ｂの少なくとも裏面Ｂ１を覆うように形成されている。
携帯型情報端末Ｂの裏面Ｂ１とは、スマートフォンやタブレット端末などにおいて画面（図示しない）が配備される表面Ｂ２とは反対側の面をいう。
さらに、カバー本体１は、後述する凸状の表示部２の有無が明確となるように、少なくとも外面１ａ又は全体を不透明な材料で形成することが好ましい。また必要に応じて、カバー本体１は、携帯型情報端末Ｂの裏面Ｂ１に加えて側面Ｂ３を覆うように形成することも可能である。
カバー本体１において携帯型情報端末Ｂの裏面Ｂ１を覆う外面１ａには、その一部又はほぼ全体に凸状の表示部２が配置されている。裏面Ｂ１と対向する内面１ｂは、携帯型情報端末Ｂの裏面Ｂ１と全体的に面接触する形状に形成されている。
【００１１】
カバー本体１の具体例として、図１〜図２に示されるように、携帯型情報端末Ｂの裏面Ｂ１が、例えば「iPhone（登録商標）」などのように、全体的に平滑に形成される場合には、それに沿ってカバー本体１の内面１ｂも全体的に平滑に形成することで、携帯型情報端末Ｂの裏面Ｂ１とカバー本体１の内面１ｂを全面的に面接触させている。
また、その他の例として図示しないが、携帯型情報端末Ｂの裏面Ｂ１が、その他のスマートフォンやタブレット端末などのように全体的に平滑ではなく、裏面Ｂ１の外周部位が面取りされて屈曲部分を有する場合には、それに合わせてカバー本体１の内面１ｂにおいて外周部位が突出するように形成することで、携帯型情報端末Ｂの裏面Ｂ１とカバー本体１の内面１ｂを全面的に面接触させることも可能である。
【００１２】
凸状の表示部２は、カバー本体１の外面１ａから凸状に突出するように形成される立体形状の模様又は図案若しくは図形などからなる。すなわち、凸状の表示部２は、立体感がある模様（立体模様）や立体感がある図案（立体図案）や立体感がある図形（立体図形）などである。
凸状の表示部２の具体例としては、図１〜図２に示されるように、例えばインクジェット印刷などの立体形状の印刷をカバー本体１の外面１ａに転写した立体印刷、別個に作成した立体形状のシールをカバー本体１の外面１ａに貼り付けた立体シール、別個に作成した立体の装飾物をカバー本体１の外面１ａに接着した立体装飾物など、カバー本体１の外面１ａに直接形成される場合を示している。凸状の表示部２の立体形状としては、大きさが異なる複数の星形模様をそれぞれ分散して配置している。
また、その他の例として図示しないが、後述する透明な被覆層３においてカバー本体１の外面１ａとの対向面に凸状の表示部２となる凹部を一体形成したり、凸状の表示部２の立体形状として星形模様に代え、それとは異なる立体形状の模様、図案、図形などを配置したり、大きさが同じ複数の星形模様を分散配置したり、凸状の表示部２を一つのみ配置するなど、変更することも可能である。
【００１３】
透明な被覆層３は、二液硬化型樹脂、熱硬化型樹脂、光硬化型樹脂など、エネルギーを吸収して重合が進行することにより硬化するタイプの透明な合成樹脂を用いている。特に、被覆層３の材料としては、例えばポリウレタン樹脂などのような粘性がある材料を用いることが好ましい。さらに必要に応じて、被覆層３の材料中に、銀イオンなどからなる抗菌防臭剤を混入することも可能である。
被覆層３の外表面は、カバー本体１の外面１ａの外周縁１ａ１を覆う外周部位３ａから中央部位３ｂへ向け徐々に盛り上がって肉厚となるとともに、中央部位３ｂをカバー本体１の外面１ａに沿った平滑面に形成されている。
透明な被覆層３の具体例としては、図１〜図２に示されるように、二液硬化型のポリウレタン樹脂をディスペンサーなどの定量吐出装置で、カバー本体１の外面１ａの全体及び凸状の表示部２の外側に亘ってポッティングすることにより、樹脂の表面張力を利用して外周部位３ａが断面円弧状に樹脂盛りされ、且つ中央部位３ｂをカバー本体１の外面１ａとほぼ平行な平滑面に形成している。
また、透明な被覆層３の他の例として図示しないが、二液硬化型のポリウレタン樹脂に代えて、それ以外の二液硬化型樹脂や熱硬化型樹脂や光硬化型樹脂などを用いたり、ポッティング以外の方法で樹脂盛りしたり、外周部位３ａを直線状に傾斜するように樹脂盛りしたり、変更することも可能である。
【００１４】
このような本発明の実施形態に係る携帯型情報端末用カバーＡによると、カバー本体１の外面１ａに立体印刷や立体シールや立体装飾物などの凸状の表示部２が設けられ、少なくとも表示部２の外側に透明な被覆層３をポッティングなどでその外表面が、カバー本体１の外面１ａの外周縁１ａ１を覆う外周部位３ａから中央部位３ｂへ向け徐々に盛り上がって肉厚となるように積層することにより、携帯型情報端末Ｂの取り付け時において凸状の表示部２が他の物品と接触することなく保護される。
さらに被覆層３の外表面において中央部位３ｂを、カバー本体１の外面１ａに沿ってほぼ平行な平滑面に形成することにより、携帯型情報端末Ｂを手で持って操作する際に、被覆層３の外表面において外周部位３ａ及び中央部位３ｂと掌とが面接触してフィットする。
したがって、凸状の表示部２の擦れによる剥げを防止し且つ携帯型情報端末Ｂのタッチ操作時における滑り止め効果を高めることができる。
その結果、凸状の表示部２が擦れて剥げず、外観を長期に亘り保持できて商品価値を維持できる。
さらに、携帯型情報端末Ｂの裏面Ｂ１が硬質材料からなる完全な平滑面であっても、携帯型情報端末Ｂを手で持って操作する時に、被覆層３の外表面において外周部位３ａ及び中央部位３ｂと掌との接触面積が増大するために持ち易くなり、且つ画面にスクロールなどのタッチ操作を行う際に、携帯型情報端末Ｂの落下事故を減少させることができる。
【００１５】
特に、表示部２が立体形状の模様又は図案若しくは図形である場合には、凸状の表示部２の表面に汚れが直接付着しない。
したがって、凸状の表示部２を長期に亘って保護することができる。
その結果、凸状の表示部２の商品寿命が延びて経済的である。
【００１６】
さらに、被覆層３の材料が粘性を有する材料である場合には、携帯型情報端末Ｂをその裏面Ｂ１が載置面と接するように置いた際に、互いに密着して滑り難くなる。
したがって、携帯型情報端末Ｂの載置時における滑り止め効果を向上させることができる。
その結果、載置時における携帯型情報端末Ｂの落下事故を減少させることができて、安全性が向上する。
【実施例１】
【００１７】
次に、本考案の各実施例を図面に基づいて説明する。
この実施例１は、図１（ａ）〜（ｄ）に示すように、カバー本体１が例えばポリカーボネイトなどの硬質材料からなるハードケースであり、携帯型情報端末Ｂの裏面Ｂ１及び側面Ｂ３を覆うように取り付けられるものである。
カバー本体１は、凸状の表示部２及び透明な被覆層３が備えられて携帯型情報端末Ｂの裏面Ｂ１のほぼ全体を被覆する本体部１１と、携帯型情報端末Ｂの側面Ｂ３のほぼ全体を被覆する枠部１２を有している。つまり、実施例１のカバー本体１は、凸状の表示部２及び透明な被覆層３が備えられる本体部１１と枠部１２を一体形成することで構成されている。
【００１８】
図１（ａ）〜（ｄ）に示される例では、本体部１１が携帯型情報端末Ｂの裏面Ｂ１と対向して平板状に形成され、携帯型情報端末Ｂの裏面Ｂ１に設けられるカメラ部Ｂ１１と対向する部位には窓孔１１ａを開穿し、カメラ部Ｂ１１と窓孔１１ａを連通させている。さらに、本体部１１の外面１ａには、窓孔１１ａを除いて凸状の表示部２及び透明な被覆層３がそれぞれ備えられる。
透明な被覆層３において窓孔１１ａと対応する部位には、通孔３ｃを開穿して窓孔１１ａと通孔３ｃを連通させ、通孔３ｃの周面は、ポッティングにより断面円弧状に樹脂盛りされている。
枠部１２は、携帯型情報端末Ｂの側面Ｂ３において一部を除いて被覆する額縁状に形成され、携帯型情報端末Ｂの側面Ｂ３に設けられるスイッチやボリュームやスピーカや外部端子などの操作機能部Ｂ３１と対向する部位には、切り欠き１２ａを凹状に形成して、操作機能部Ｂ３１としてスイッチやボリュームの操作障害とならず、スピーカや外部端子の機能障害とならないようにしている。
また、その他の例として図示しないが、本体部１１の窓孔１１ａ及び透明な被覆層３の通孔３ｃと枠部１２の切り欠き１２ａにおける配置や形状を変更することも可能である。
さらに図示例では、携帯型情報端末Ｂとして裏面Ｂ１が全体的に平滑に形成される場合を示したが、これに限定されず、裏面Ｂ１が全体的に平滑ではなく外周部位が面取りされて屈曲部分を有するものであってもよい。
この場合には、カバー本体１の本体部１１において携帯型情報端末Ｂの裏面Ｂ１と対向する内面１ｂを、携帯型情報端末Ｂの裏面Ｂ１の外周部位（屈曲部分）と嵌合する形状に形成することで、携帯型情報端末Ｂの裏面Ｂ１とカバー本体１の本体部１１の内面１ｂを全面的に面接触させることが好ましい。
【００１９】
このような本考案の実施例１に係る携帯型情報端末用カバーＡによると、携帯型情報端末Ｂの裏面Ｂ１だけでなく側面Ｂ３をも含めて保護でき、携帯型情報端末Ｂの落下事故による故障の発生を低減化が図れて利便性に優れるという利点がある。
【実施例２】
【００２０】
この実施例２は、図２（ａ）〜（ｄ）に示すように、カバー本体１が例えば熱可塑性ポリウレタンやＰＥＴなどの軟質材料からなるソフトケースであり、携帯型情報端末Ｂの裏面Ｂ１を覆うように取り付けられる構成が、図１（ａ）〜（ｄ）に示した実施例１とは異なり、それ以外の構成は図１（ａ）〜（ｄ）に示した実施例１と同じものである。
カバー本体１は、凸状の表示部２及び透明な被覆層３が備えられて携帯型情報端末Ｂの裏面Ｂ１のほぼ全体を被覆する本体部１１を有している。つまり、実施例２のカバー本体１は、凸状の表示部２及び透明な被覆層３が備えられる本体部１１のみで構成されている。
【００２１】
図２（ａ）〜（ｄ）に示される例では、カバー本体１の本体部１１において携帯型情報端末Ｂの裏面Ｂ１と対向する内面１ｂに、粘着層（図示しない）を有し、この粘着層によって携帯型情報端末Ｂの裏面Ｂ１に対し着脱自在に粘着保持されている。
また、その他の例として図示しないが、カバー本体１の本体部１１の内面１ｂに粘着層を形成せず、両面接着テープや接着剤などの固着手段によって、携帯型情報端末Ｂの裏面Ｂ１に対し貼り付けることも可能である。
さらに図示例では、携帯型情報端末Ｂとして裏面Ｂ１が全体的に平滑に形成される場合を示したが、これに限定されず、裏面Ｂ１が全体的に平滑ではなく外周部位が面取りされて屈曲部分を有するものであってもよい。
この場合には、カバー本体１の本体部１１における内面１ｂの形状を、圧空成形によって、携帯型情報端末Ｂの裏面Ｂ１における外周部位の屈曲形状と嵌り合う形状に成形することが好ましい。ここで言う「圧空成形」とは、カバー本体１の本体部１１を加熱軟化させ、圧縮空気の力で引き延ばして携帯型情報端末Ｂの裏面Ｂ１と同じ形状の成形型（金型）に沿わせ、互いに密着する形状に熱成形する方法である。
【００２２】
このような本考案の実施例２に係る携帯型情報端末用カバーＡによると、図１（ａ）〜（ｄ）に示した実施例１に比べて、簡単な構造であるために製作コストを低減化することができ、比較的に短い期間で頻繁に交換することできて利便性に優れるという利点がある。
また、カバー本体１において携帯型情報端末Ｂの裏面Ｂ１と対向する内面１ｂを、圧空成形によって携帯型情報端末Ｂの裏面Ｂ１と嵌り合う形状に成形する場合には、携帯型情報端末Ｂの裏面Ｂ１における形状が、各社毎に多種類あったとしても、その対応する種類同士の携帯型情報端末Ｂの裏面Ｂ１とカバー本体１の内面１ｂが密着される。
したがって、多種類の携帯型情報端末Ｂの裏面Ｂ１に対してカバー本体１の内面１ｂを確実に密着させて保持することができる。
その結果、携帯型情報端末Ｂの裏面Ｂ１からカバー本体１の内面１ｂが長期間に亘って剥がれず、安定性に優れるという利点がある。
【００２３】
なお、実施例１では、カバー本体１が携帯型情報端末Ｂの裏面Ｂ１及び側面Ｂ３を覆うように取り付けられるハードケースである場合を示したが、これに限定されず、実施例１のカバー本体１を携帯型情報端末Ｂの裏面Ｂ１を覆う形状のハードケースに変更してもよい。
さらに、実施例２では、カバー本体１が携帯型情報端末Ｂの裏面Ｂ１を覆うように取り付けられるソフトケースである場合を示したが、これに限定されず、実施例２のカバー本体１を携帯型情報端末Ｂの裏面Ｂ１及び側面Ｂ３を覆う形状に変更してもよい。
【符号の説明】
【００２４】
１  カバー本体                          １ａ  外面
１ａ１  外周縁                          １ｂ  内面
２  表示部                              ３  被覆層
３ａ  外周部位                          ３ｂ  中央部位
Ｂ  携帯型情報端末                      Ｂ１  裏面
【図１】
0003187488.tif 000003
【図２】
0003187488.tif 000004